(57)【要約】【課題】固体光源と電源ユニットとの電気的接続における信頼性の向上を図ること。【解決手段】照明装置は、ＬＥＤと支持板６２と電源ユニット６１と電線Ｌ１と保護体２とを備える。支持板６２は、第１面６２１の側で、ＬＥＤを支持する。電源ユニット６１は、支持板６２の第２面６２２の側に配置されて、ＬＥＤを点灯させる電力を供給する。電線Ｌ１は、ＬＥＤと電源ユニット６１とを電気的に接続し電力の供給路となる。保護体２は、支持板６２に対する電線Ｌ１の接触を抑制する。電線Ｌ１は、支持板６２の側面６２３を跨ぐように配置される。保護体２は、側面６２３と電線Ｌ１との間に介在する板状の介在部２０を有する。支持板６２の厚み方向における介在部２０の長さ寸法Ｄ１は、支持板６２の板厚Ｄ２より大きい。【選択図】図４
2019121518.tif 000002
【特許請求の範囲】
【請求項１】
固体光源と、
厚み方向における両面のうちの第１面の側で、前記固体光源を支持する支持板と、
前記支持板の前記第１面とは反対側の第２面の側に配置されて、前記固体光源を点灯させる電力を供給する電源ユニットと、
前記固体光源と前記電源ユニットとを電気的に接続し前記電力の供給路となる電線と、
前記支持板に対する前記電線の接触を抑制する保護体と
を備え、
前記電線は、前記第１面と前記第２面との間の前記支持板の側面を跨ぐように配置され、
前記保護体は、前記側面と前記電線との間に介在する板状の介在部を有し、
前記支持板の厚み方向における前記介在部の長さ寸法は、前記支持板の板厚より大きい
ことを特徴とする照明装置。
【請求項２】
前記保護体は、前記側面から離れる方向において前記介在部と対向する対向部を、更に有し、
前記電線は、前記介在部と前記対向部との間にある収容空間に収容される
ことを特徴とする請求項１に記載の照明装置。
【請求項３】
前記保護体は、前記電線をその径方向に沿って前記収容空間内に挿入可能な挿入口を、更に有する
ことを特徴とする請求項２に記載の照明装置。
【請求項４】
前記保護体は、前記電線を前記挿入口に向かってガイドするガイド部を、更に有する
ことを特徴とする請求項３に記載の照明装置。
【請求項５】
前記ガイド部は、前記対向部と対向する前記介在部の一表面に繋がって形成されたガイド面を有し、
前記ガイド面は、前記介在部の前記一表面に対して、前記収容空間から離れるほど前記側面から離れるように、傾斜している
ことを特徴とする請求項４に記載の照明装置。
【請求項６】
前記支持板の厚み方向において、前記ガイド部の長さ寸法は、前記対向部の長さ寸法より大きく、かつ、
前記ガイド部に対する前記対向部の投影領域は、前記支持板の厚み方向における前記ガイド部の両端間の範囲内にある
ことを特徴とする請求項４又は請求項５に記載の照明装置。
【請求項７】
前記介在部及び前記対向部の少なくとも一方は、前記電線が前記径方向に沿って前記挿入口から抜け出ることを規制する規制突起を有する
ことを特徴とする請求項３〜６のいずれか１項に記載の照明装置。
【請求項８】
前記電源ユニットを収容するケースを、更に備え、
前記保護体は、前記ケースに設けられている
ことを特徴とする請求項１〜７のいずれか１項に記載の照明装置。
【請求項９】
前記支持板は、前記側面において、前記保護体が収まるように構成された凹所を有している
ことを特徴とする請求項１〜８のいずれか１項に記載の照明装置。
【発明の詳細な説明】
【技術分野】
【０００１】
本発明は、一般に、照明装置に関し、より詳細には、電線により固体光源と電源ユニットとが電気的に接続される照明装置に関する。
【背景技術】
【０００２】
従来例として、特許文献１に記載の照明器具（照明装置）を例示する。この照明器具は、器具本体と、光源ユニットと、電源装置（電源ユニット）とを備える。電源装置は、光源ユニットに電源を供給する給電回路、及び給電回路が収納されるケースを有する。器具本体は、光源ユニット及び電源装置を収納する。
【０００３】
光源ユニットは、ＬＥＤチップ（固体光源）が下面に実装された基板、レンズ、取付部材、及び、放熱部材等を備える。基板の一対の電極は、それぞれ、細長い帯板状の一対の導体の一端に接続されており、一対の導体の他端には第１接続端子が設けられている。第１接続端子は、角筒状のコネクタ部に収容される。
【０００４】
この照明器具では、コネクタ部が、アルミニウムからなる矩形板状の放熱部材に設けられた切欠部を通して放熱部材より上側に突出する。そして、コネクタ部内の第１接続端子が、電源装置のケース内に配置された第２接続端子と電気的に接続される。
【先行技術文献】
【特許文献】
【０００５】
【特許文献１】特開２０１６−３５８５０号公報
【発明の概要】
【発明が解決しようとする課題】
【０００６】
特許文献１に記載の照明器具では、コネクタ部が放熱部材の切欠部を通じて放熱部材を上下方向に跨ぐように突出し、光源ユニットと電源装置との電気的接続が達成される。
【０００７】
ところで、照明器具の製造コストや小型化等を考慮して、帯板状の導体及びコネクタ部の代わりに、例えば電線を用いて光源ユニットと電源装置との電気的接続を行う場合もある。しかし、電線を用いる場合、例えば当該電線の結線作業時や照明器具の使用中に、固体光源と電源装置との間に介在するアルミニウム製の放熱部材の縁部分に電線が引っ掛かり、縁部分で電線の被覆に傷が付く可能性がある。したがって、電線が傷付かないように、電線を保護することが望まれる。
【０００８】
本発明は上記事由に鑑みてなされ、固体光源と電源ユニットとの電気的接続における信頼性の向上を図ることができる照明装置を提供することを目的とする。
【課題を解決するための手段】
【０００９】
本発明の一態様に係る照明装置は、固体光源と、支持板と、電源ユニットと、電線と、保護体とを備える。前記支持板は、その厚み方向における両面のうちの第１面の側で、前記固体光源を支持する。前記電源ユニットは、前記支持板の前記第１面とは反対側の第２面の側に配置されて、前記固体光源を点灯させる電力を供給する。前記電線は、前記固体光源と前記電源ユニットとを電気的に接続し前記電力の供給路となる。前記保護体は、前記支持板に対する前記電線の接触を抑制する。前記電線は、前記第１面と前記第２面との間の前記支持板の側面を跨ぐように配置される。前記保護体は、前記側面と前記電線との間に介在する板状の介在部を有する。前記支持板の厚み方向における前記介在部の長さ寸法は、前記支持板の板厚より大きい。
【発明の効果】
【００１０】
本発明は、固体光源と電源ユニットとの電気的接続における信頼性の向上を図ることができる、という利点がある。
【図面の簡単な説明】
【００１１】
【図１】図１は、一実施形態に係る照明装置の斜視図である。
【図２】図２は、同上の照明装置の正面図である。
【図３】図３は、同上の照明装置の下方から見た分解斜視図である。
【図４】図４は、同上の照明装置の要部の正面図である。
【図５】図５は、同上の照明装置の要部の上面図である。
【図６】図６は、同上の照明装置の要部の側面図である。
【図７】図７は、同上の照明装置と予備電源装置との接続関係を示す概略ブロック図である。
【発明を実施するための形態】
【００１２】
（１）概要
以下の実施形態は、本発明の様々な実施形態の一つに過ぎない。以下の実施形態は、本発明の目的を達成できれば、設計等に応じて種々の変更が可能である。また、以下の実施形態において説明する図１〜図７は、模式的な図であり、図１〜図７中の各構成要素の大きさや厚さそれぞれの比が、必ずしも実際の寸法比を反映しているとは限らない。
【００１３】
また以下では、本実施形態の照明装置１の上下、左右、前後の方向を、図１、図２及び図５に図示されている上下、左右、前後の矢印を用いて規定して説明する。これらの矢印は、単に説明を補助する目的で記載しているに過ぎず、実体を伴わない。また、これらの方向は、照明装置１の使用方向を限定する趣旨ではない。
【００１４】
本実施形態の照明装置１は、例えば、建築物の天井板Ｃ１等に設置されて、室内の空間及び床面を照明する非常灯（非常用照明器具）である。ここで、照明装置１は、一例として、天井埋込み型の非常灯を想定する。ただし、照明装置１は、天井直付け型の非常灯であってもよい。
【００１５】
照明装置１は、図２に示すように、固体光源と、支持板６２と、電源ユニット６１と、電線Ｌ１と、保護体２とを備える。固体光源は、図３に示すように、例えば発光ダイオード（以下、ＬＥＤ（Light Emitting Diode）と呼ぶ）８１が実装される。ＬＥＤ８１は、例えば、パッケージ型の照明用白色ＬＥＤである。ただし、固体光源は、発光ダイオードに限定されず、例えば有機ＥＬ（Electro-Luminescence）素子等であってもよい。
【００１６】
支持板６２は、その厚み方向（上下方向）における両面６２１、６２２のうちの第１面６２１の側（すなわち支持板６２の下側）で、ＬＥＤ８１を支持する。電源ユニット６１は、支持板６２の第１面６２１とは反対側の第２面６２２の側（すなわち支持板６２の上側）に配置されて、ＬＥＤ８１を点灯させる電力を供給する。
【００１７】
電線Ｌ１は、ＬＥＤ８１と電源ユニット６１とを電気的に接続し電力の供給路となる。ここでは、例えば、電線Ｌ１の数は２本である。
【００１８】
保護体２は、支持板６２に対する一対の電線Ｌ１の接触を抑制するように構成される。電線Ｌ１は、第１面６２１と第２面６２２との間の支持板６２の側面６２３を跨ぐように配置される。保護体２は、図４及び図５に示すように、側面６２３と電線Ｌ１との間に介在する板状の介在部２０を有している。支持板６２の厚み方向（上下方向）における介在部２０の長さ寸法Ｄ１は、支持板６２の板厚Ｄ２より大きい（図４参照）。
【００１９】
この構成によれば、照明装置１が板状の介在部２０を有する保護体２を備え、更に、介在部２０の長さ寸法Ｄ１が支持板６２の板厚Ｄ２より大きい。そのため、例えば電線Ｌ１の結線作業時又は照明装置１の使用中に、電線Ｌ１が支持板６２における第１面６２１と側面６２３との間の縁部分や第２面６２２と側面６２３との間の縁部分に接触して電線Ｌ１の被覆が傷付いてしまうといった事態を低減できる。その結果、ＬＥＤ８１（固体光源）と電源ユニット６１との電気的接続における信頼性の向上を図ることができる。
【００２０】
（２）詳細
（２．１）全体構成
以下、本実施形態の照明装置１の全体構成について、詳しく説明する。照明装置１は、火災等により停電が発生した場合に、自動的に非常電源に切替わり、室内又は通路等を照明する非常灯である。照明装置１は、本実施形態では、電池を内蔵していない、いわゆる電源別置型の非常灯である。照明装置１は、各種の建築物に設置される。建築物としては、主に、例えば宿泊施設、展示場、百貨店、病院、店舗又はオフィスビル等の居住を目標としない非住宅建築物が挙げられるが、居住用の住宅建築物であってもよい。
【００２１】
照明装置１は、図７に示すように、外部にある予備電源装置１０から供給される直流電力又は交流電力（ここでは、直流電力）によって、ＬＥＤ８１を点灯するように構成されている。ここで、予備電源装置１０は、蓄電池、商用電源から供給される交流電力によって蓄電池を充電する充電回路、蓄電池から電源ケーブルへの直流電力の給電を入切する切替器、及び商用電源の停電を検知したときに切替器を投入する停電検知回路等を備えている。予備電源装置１０は、停電検知回路が商用電源の停電を検知していないときは切替器を切って充電回路に蓄電池を充電させる。また、予備電源装置１０は、停電検知回路が商用電源の停電を検知している間は切替器を投入して蓄電池を放電させ、電源ケーブルを介して直流電力を照明装置１に供給する。つまり、予備電源装置１０は、商用電源の停電等の非常時に照明装置１に直流電力を供給するように構成されている。予備電源装置１０は、例えば自家発電機のように、非常時に照明装置１に交流電力を供給するように構成されていてもよい。
【００２２】
照明装置１は、建築物における通路又は廊下等の照明の対象となる空間にある造作材（ここでは図１の天井板Ｃ１）に設置される。図１に示すように、天井板Ｃ１には、埋込孔Ｃ１０が形成されており、照明装置１は、この埋込孔Ｃ１０に対して屋内側から通された状態で天井板Ｃ１に設置される。
【００２３】
照明装置１は、図３に示すように、筐体３と、カバー４と、複数（ここでは２つ）の支持具５と、駆動装置６と、ホルダ７と、発光装置８とを備えている。以下、照明装置１の各構成要素について詳しく説明する。
【００２４】
（２．２）筐体
筐体３は、駆動装置６と発光装置８とを収める器である。筐体３は、図３に示すように、下面に開口部３３を有した有底筒状に形成されている。筐体３は、例えば、亜鉛鋼板又はステンレス鋼板等の１枚の板材に打ち抜き加工を施し、かつ、曲げ加工を施すことにより形成される。
【００２５】
筐体３は、側板３１と、底板３２とを備えている。側板３１は、筐体３の外周の板であり、上下方向に見て略多角形状（ここでは八角形状）に形成されている。側板３１は、側板３１の一部が開口する２つの窓３１１を有する。２つの窓３１１は、側板３１の前側と後側とにそれぞれ設けられている。なお、図示例では、２つの窓３１１のうちの前側の窓３１１のみが図示されている。２つの窓３１１のうちの前側の窓３１１からは、後述する入力端子部６３の電線差込口６３１が露出する。
【００２６】
ここでは、筐体３の「長さ方向」とは、筐体３における開口部３３の中心（図心）から底板３２の中心（図心）に向かう方向に平行な方向（双方向）とする。そして、長さ方向に直交する面に沿う方向を、筐体３の「幅方向」と呼ぶ場合もある。したがって、照明装置１が天井板Ｃ１に設置されると、筐体３の長さ方向は上下方向に平行となり、かつ幅方向は水平方向に平行となる。ただし、照明装置１を造作材に設置した状態では、筐体３の長さ方向は、鉛直方向に一致しなくてもよく、例えば、鉛直方向に対して所定角度傾いてもよい。また、図示例では、筐体３の長さ方向は、筐体３の幅方向よりも長いが、筐体３の長さ方向は、筐体３の幅方向よりも短くてもよい。
【００２７】
（２．３）カバー
カバー４は、図１に示すように、天井板Ｃ１の埋込孔Ｃ１０を、埋込孔Ｃ１０の下方から覆う部材である。カバー４は、例えばアルミニウム等の金属材料からなり、筐体３の外形よりも大きい円盤状に形成されている。カバー４は、筐体３の下面の開口を塞ぐように構成されている。カバー４は、中央部において上下方向に貫通して形成された円形状の窓孔４１を有する。窓孔４１には、発光装置８のレンズ９の下端部が、窓孔４１の上方から通される。カバー４は、ねじ留め等の適宜の固定手段により、後述のホルダ７及び支持板６２に取り付けられている。
【００２８】
（２．４）支持具
一対の支持具５は、筐体３を造作材に取り付けるための部材である。各支持具５は、筐体３の側板３１に取り付けられる取付部５１と、取付部５１の下端部から水平方向に延びている突出部５２とで構成される。各支持具５は、板ばね状に形成されており、突出部５２の先端が取付部５１に近づく方向に弾性変形可能である。照明装置１は、突出部５２を取付部５１に沿うように支持具５を変形させた状態で、埋込孔Ｃ１０の下方から上方向に移動させることで、埋込孔Ｃ１０に通される。この後、照明装置１は、支持具５の変形が復元されることで、支持具５とカバー４との間に、天井板Ｃ１を挟むことができ、これにより、照明装置１は天井板Ｃ１に取り付けられる。
【００２９】
（２．５）駆動装置
駆動装置６は、発光装置８を駆動する装置である。駆動装置６は、外部にある予備電源装置１０から供給された直流電力を所定の電力に変換した上で、所定の電力を発光装置８に供給し、発光装置８を点灯するように構成される。駆動装置６は、筐体３に収容可能に形成されている。駆動装置６は、電源ユニット６１と、ケース６０と、支持板（放熱部材）６２と、入力端子部６３と、一対の電線Ｌ１とを有している。なお、照明装置１が電源別置型の非常灯であるため、駆動装置６は、外部にある予備電源装置１０から電力の供給を受けて発光装置８を駆動するように構成されているが、内部に電源（蓄電池）を有していてもよい。
【００３０】
入力端子部６３は、電源ケーブルが接続される端子台である。本実施形態では、入力端子部６３は、送り端子付きの端子台で構成されている。もちろん、入力端子部６３は、送り端子を有していなくてもよい。入力端子部６３には、電源ケーブルを介して予備電源装置１０から供給される直流電力又は交流電力が入力される。入力端子部６３は、複数の電線差込口６３１を有しており、電線差込口６３１には、予備電源装置１０からの電源ケーブルが接続される。複数の電線差込口６３１は、筐体３の前側の窓３１１から露出する。入力端子部６３に入力された直流電力又は交流電力は、電源ユニット６１の点灯回路６１１（図７参照）に出力される。
【００３１】
電源ユニット６１は、固体光源であるＬＥＤ８１を点灯させる電力を供給するように構成される。電源ユニット６１は、予備電源装置１０から電力が供給されると、供給された電力を所定の電力に変換した上で、発光装置８に供給する。電源ユニット６１は、図７に示すように、点灯回路６１１等を有している。点灯回路６１１は、例えばダイオードブリッジといった全波整流回路と、降圧チョッパ回路とを有している。点灯回路６１１は、入力端子部６３を介して供給される直流電力又は交流電力を、所定の直流電力に変換するように構成されている。点灯回路６１１は、降圧チョッパ回路の出力電流を発光装置８のＬＥＤ８１に供給し、ＬＥＤ８１を点灯させるように構成されている。
【００３２】
ケース６０は、電源ユニット６１を収容するように構成されている。具体的には、ケース６０は、電源ユニット６１の点灯回路６１１を構成する複数の回路部品６６（図４参照：一部のみ図示）やレセプタクルコネクタ６７（図４及び図５参照）等が実装される実装基板６８（図５参照）を収容する。なお、レセプタクルコネクタ６７は、点灯回路６１１の出力端と電気的に接続されている。
【００３３】
ケース６０は、例えば合成樹脂材料によって、全体として筐体３と同形の略多角形（ここでは略八角形）の筒状に形成されている。ケース６０は、筐体３の開口部３３から概ね隙間なく収まるように構成されている。ケース６０は、図３に示すように、上下方向に分割された第１ブロック６０Ａと第２ブロック６０Ｂとが互いに組み付けられることで構成される。
【００３４】
第１ブロック６０Ａは、下面が開放された筒状に形成されている。第１ブロック６０Ａは、図３に示すように、天壁６００と、天壁６００の周縁部から下方に突出する側壁６０１とを有している。
【００３５】
天壁６００は、その上面の側において、入力端子部６３が収容される収容凹所６０２、並びに、入力端子部６３を固定する固定プレート６５が取り付けられる取付構造（爪部等）を有している。
【００３６】
側壁６０１は、その厚み方向に貫通しかつ細長い矩形状の開口を有した、一対の嵌合孔６０３を有している。一対の嵌合孔６０３は、互いに対向するように配置されている。また、側壁６０１は、入力端子部６３と電源ユニット６１とを電気的に接続するための配線（不図示）が通る切欠部６０４を有している。
【００３７】
また、側壁６０１は、その下端部から上方へ矩形状に凹んだ一対の溝部６０５を有している。一対の溝部６０５は、互いに対向するように配置されている。更に、側壁６０１は、その正面位置の下端部において、上方へ矩形状に凹んだ第１凹部Ｅ１（図３参照）を有している。
【００３８】
第２ブロック６０Ｂは、上面が開放されたへん平な筒状に形成されている。第２ブロック６０Ｂには、実装基板６８が嵌入されている。第２ブロック６０Ｂは、その周壁６０７において、一対の爪部６０８（図３では前方のみ図示）、一対の突起部６０９（図３では右側のみ図示）、及び、第２凹部Ｅ２を有している。
【００３９】
一対の突起部６０９が第１ブロック６０Ａの一対の溝部６０５にそれぞれ挿入されることで、第２ブロック６０Ｂに対する第１ブロック６０Ａの位置決めがなされる。また、一対の爪部６０８が第１ブロック６０Ａの一対の嵌合孔６０３にそれぞれ嵌合することで、第２ブロック６０Ｂに対する第１ブロック６０Ａの組み付けが達成される。
【００４０】
第２凹部Ｅ２は、その周壁６０７の上端における、第１ブロック６０Ａの第１凹部Ｅ１と対向する位置に設けられている。第２凹部Ｅ２は、下方へ矩形状に凹んで形成されている。第２凹部Ｅ２は、第１凹部Ｅ１と共に、一対の電線Ｌ１が導出されるための導出口６０Ｃ（図２及び図４参照）を構成する。
【００４１】
更に、本実施形態の第２ブロック６０Ｂは、支持板６２に対する電線Ｌ１の接触を抑制するように構成された保護体２を有している。なお、保護体２については、後の「（２．７）保護体」の欄で詳しく説明する。
【００４２】
支持板６２は、その厚み方向（上下方向）における両面（図２参照：第１面６２１及び第２面６２２）のうちの第１面６２１の側（下側）で、ＬＥＤ８１を支持するように構成される。電源ユニット６１は、支持板６２の第１面６２１とは反対側の第２面６２２の側（上側）に配置される。支持板６２は、例えばアルミニウム又はアルミニウム合金等の金属製の板材で形成されており、発光装置８で発生した熱を放散する放熱部材としても機能する。
【００４３】
支持板６２は、図３に示すように、略八角形の円盤状に形成されており、ねじ止め等の適宜の固定手段により、第２ブロック６０Ｂに固定される。また、支持板６２には、ねじ止め等の適宜の固定手段により、カバー４、ホルダ７、及び後述する発光装置８のＬＥＤホルダ８２が取り付けられる。支持板６２の一部は、筐体３に直接的又は間接的に、熱的に接続される。
【００４４】
支持板６２の第１面（下面）６２１は、放熱シート６４を介して、ＬＥＤ８１の上面に重なる。これにより、支持板６２は、ＬＥＤ８１と熱的に接続される。したがって、ＬＥＤ８１が点灯することで生じた熱は、放熱シート６４及び支持板６２に伝導した後、筐体３に伝導し、その後、照明装置１の外部に放射される。
【００４５】
一対の電線Ｌ１は、例えば、電圧線と中性線とから構成される。電線Ｌ１は、ＬＥＤ８１と電源ユニット６１とを電気的に接続し電力の供給路となる。各電線Ｌ１は、導線が絶縁体で被覆されて形成されている。一対の電線Ｌ１の一端には、実装基板６８上に実装されているレセプタクルコネクタ６７に対して上下方向に抜差可能なプラグコネクタ６９（図４参照）が設けられている。一方、一対の電線Ｌ１の他端は、ＬＥＤ８１のアノード電極とカソード電極とにそれぞれ電気的に接続されている。すなわち、プラグコネクタ６９がレセプタクルコネクタ６７に差し込まれることで、電源ユニット６１から出力される電力が、ＬＥＤ８１に供給され得る。
【００４６】
（２．６）発光装置及びホルダ
駆動装置６の下面（支持板６２の第１面６２１）には、発光装置８が取り付けられる。具体的に、発光装置８は、ホルダ７によって、支持板６２に対して保持される。
【００４７】
ホルダ７は、例えばポリカーボネート樹脂等の合成樹脂材料からなり、図３に示すように円盤状に形成されている。ホルダ７には、上下方向に貫通する開口部７１が設けられている。ホルダ７は、ねじ止め等の適宜の固定手段により、支持板６２に取り付けられている。
【００４８】
発光装置８は、電力の供給を受けて、所定の配光特性で光を放射する装置である。本実施形態では、発光装置８は、ＬＥＤ８１と、ＬＥＤホルダ８２と、配光を制御するレンズ９とを備えている。
【００４９】
ＬＥＤ８１は、平板状の基板（実装基板）の実装面（下面）の中央に少なくとも１個のＬＥＤチップが実装された、パッケージ型のＬＥＤとして構成される。ＬＥＤチップは、例えば、発光面から青色光を放射する青色発光ダイオードであることが好ましい。また、ＬＥＤチップを含む基板の実装面は、ＬＥＤチップから放射される青色光を波長変換する蛍光物質が混入された封止樹脂で円盤状に被われている。さらに、ＬＥＤ８１の基板の下面には、カソード電極とアノード電極とが形成されている。ＬＥＤ８１は、アノード電極とカソード電極との間に直流電圧が印加されることにより、白色の照明光を発光面から放射するように構成されている。
【００５０】
ＬＥＤホルダ８２は、合成樹脂材料からなり、図３に示すように略円盤状に形成されている。ＬＥＤホルダ８２は、その中央部に、上下方向に貫通する貫通孔を有している。この貫通孔は、略正方形状の開口を有している。ＬＥＤホルダ８２は、当該貫通孔内の周縁部にＬＥＤ８１が上方から載せ置かれた状態で、開口部７１内に嵌め込まれたレンズ９と共にホルダ７が下方から被せられ、ホルダ７を支持板６２にねじ止めすることで保持される。要するに、ＬＥＤ８１及びＬＥＤホルダ８２は、レンズ９と共に、支持板６２及びホルダ７によって保持される。
【００５１】
また、ＬＥＤホルダ８２は、その上面において、上記の貫通孔に向かって延びている一対のガイド溝８２０（図４参照）を有している。ガイド溝８２０は、電線Ｌ１をガイドするための溝である。ＬＥＤ８１の下面のカソード電極とアノード電極とにそれぞれ接続された一対の電線Ｌ１は、上記の貫通孔の周縁に設けられている電線挿通孔を通りＬＥＤホルダ８２の上側に引き出され、ガイド溝８２０を通ってＬＥＤホルダ８２の前方に導出される。
【００５２】
レンズ９は、ＬＥＤ８１から放射された光が入射し、入射した光を一定の配光となるように出射させる光学部材である。レンズ９は、例えばガラスのような透光性を有する不燃材料で形成されている。ただし、レンズ９は、アクリル樹脂等の透光性を有する合成樹脂材料で形成されてもよい。
【００５３】
レンズ９は、光の配光を制御するレンズ本体部９１と、鍔部９５とを備えている。鍔部９５は、レンズ本体部９１の側周面の上方向の端部から外方向に突出している。レンズ９は、レンズ本体部９１でＬＥＤ８１を下方から覆い、かつ鍔部９５をＬＥＤホルダ８２の下面に押し当てた状態で保持される。
【００５４】
発光装置８のＬＥＤホルダ８２は、ＬＥＤ８１の光軸方向が下方向に平行になるように、ホルダ７によって、支持板６２の第１面６２１に固定される。このとき、レンズ９は、レンズ本体部９１がホルダ７の開口部７１に通された状態で、鍔部９５が、ホルダ７によってＬＥＤホルダ８２の下面に保持される。これにより、発光装置８は、駆動装置６の下面に取り付けられる。
【００５５】
（２．７）保護体
以下、本実施形態の保護体２について詳しく説明する。保護体２は、支持板６２に対する電線Ｌ１の接触を抑制するように構成されている。保護体２は、第２ブロック６０Ｂに設けられている。具体的には、保護体２は、第２ブロック６０Ｂの周壁６０７の外周面において、第２凹部Ｅ２の左下の位置に、周壁６０７と一体となって形成されている。特に、照明装置１を上下方向に見たときに、保護体２は、第２ブロック６０Ｂの周壁６０７の外周面において、保護体２と実装基板６８上のレセプタクルコネクタ６７との距離が最短距離となる位置に設けられていることが好ましい（図５参照）。これにより、電線Ｌ１が引き回される距離を抑えることができる。
【００５６】
保護体２は、図５に示すように、介在部２０と、対向部２１と、ガイド部２２と、介在部２０及び対向部２１を連結する連結部２３とを有している。
【００５７】
介在部２０は、支持板６２の側面６２３と電線Ｌ１との間に介在する矩形の板状の部位である。具体的には、介在部２０は、第２ブロック６０Ｂの周壁６０７の外周面と一体となっている。ただし、介在部２０は、周壁６０７の下端部よりも下方へ突出し、更に、支持板６２の第１面６２１よりも下方へ突出している（図４参照）。
【００５８】
なお、支持板６２の側面６２３は、図４に示すように、支持板６２における第１面６２１の縁部分と第２面６２２の縁部分とを繋ぐ面であり、上下方向に平行である。側面６２３は、保護体２が配置される位置に、後方へ窪んだ凹所６２４（図４参照）を有している。凹所６２４は、上下方向から見て、略三角形状に窪んでいる。凹所６２４は、保護体２が収まるように構成されている。保護体２が凹所６２４内に収まることで、介在部２０は、その厚み方向が前後方向に沿うように配置されている。凹所６２４が設けられていることで、保護体２を含めた第２ブロック６０Ｂの前後方向における寸法を抑えることができ、その結果、照明装置１の小型化を図ることができる。また、電線Ｌ１が引き回される距離を抑えることができる。
【００５９】
本実施形態では、電線Ｌ１は、介在部２０より前側において、支持板６２の側面６２３を跨ぐように配置される。そして、図４に示すように、支持板６２の厚み方向（上下方向）における介在部２０の長さ寸法Ｄ１が、支持板６２の板厚Ｄ２より大きくなるように、互いの寸法関係が規定されている。
【００６０】
対向部２１は、支持板６２の側面６２３から離れる方向において介在部２０と対向する矩形の板状の部位である。本実施形態では、図５に示すように、対向部２１は、その厚み方向が前後方向に対して僅かに傾斜している。具体的には、対向部２１は、左端に行くほど介在部２０に近づくように傾斜している。
【００６１】
連結部２３は、介在部２０の右端と対向部２１の右端とを連結する矩形の板状の部位である。連結部２３は、図５に示すように、前後方向に延びている。
【００６２】
電線Ｌ１は、介在部２０と対向部２１との間にある収容空間Ｓ１に収容され得る。本実施形態では、収容空間Ｓ１は、介在部２０と対向部２１と連結部２３とによって囲まれる空間である。具体的には、保護体２は、図５に示すように、上下方向から見たときに、全体として、左端部が開放された略Ｕ字形状となっていて、更にその上下両端部も開放されていて、その略Ｕ字で囲まれた内部空間が収容空間Ｓ１である。
【００６３】
収容空間Ｓ１が設けられていることで、電線Ｌ１が安定的に収容されて電線Ｌ１の位置ずれが起き難くなる。その結果、例えば、電線Ｌ１が外方にはみ出して筐体３と支持板６２（又はケース６０）との間で電線Ｌ１の線噛みが発生してしまう可能性を低減することができる。また電線Ｌ１の結線作業時に、電線Ｌ１を収容空間Ｓ１に収容した状態でレセプタクルコネクタ６７にプラグコネクタ６９を接続することが可能であるため、電線Ｌ１の結線作業の作業性が向上する。
【００６４】
保護体２は、その開放された左端部に、電線Ｌ１が挿入可能な挿入口２５を有している。電線Ｌ１は、その径方向に沿って、挿入口２５から収容空間Ｓ１内に挿入され得る。ここで、介在部２０及び対向部２１の少なくとも一方は、電線Ｌ１が径方向に沿って挿入口２５から抜け出ることを規制する規制突起２６を有することが好ましい。
【００６５】
本実施形態では、規制突起２６は、一例として、図５に示すように、対向部２１に設けられている。規制突起２６は、介在部２０と対向する対向部２１の一表面２１０の左端近傍から、介在部２０に近づく向きに突出している。規制突起２６は、対向部２１の一表面２１０における上端から下端にわたって上下方向に沿って延びている（図４参照）。規制突起２６が設けられていることで、収容空間Ｓ１内に収容された電線Ｌ１が挿入口２５から抜け出ることを抑制することができる。なお、規制突起２６は、対向部２１と対向する介在部２０の一表面２０１に設けられていてもよいし、介在部２０の一表面２０１と対向部２１の一表面２１０の両方に設けられていてもよい。
【００６６】
ガイド部２２は、図５に示すように、電線Ｌ１を挿入口２５に向かってガイドするように構成されている。ガイド部２２は、介在部２０と一体となって形成された矩形の板状の部位であり、介在部２０の左端部から延出している。具体的には、ガイド部２２は、対向部２１と対向する介在部２０の一表面２０１に繋がって形成されたガイド面２２０を有している。ガイド面２２０は、介在部２０の一表面２０１に対して、収容空間Ｓ１から離れるほど側面６２３から離れるように、傾斜している。
【００６７】
このようなガイド部２２が設けられていることで、電線Ｌ１を収容空間Ｓ１へ収容する作業が更に容易となる。また、ガイド面２２０が収容空間Ｓ１から離れるほど側面６２３から離れるように傾斜しているため、電線Ｌ１の結線作業時に、電線Ｌ１が側面６２３に接触する可能性が低くなる。したがって、支持板６２に対する電線Ｌ１の接触が更に抑制される。
【００６８】
特に本実施形態では、図６に示すように、支持板６２の厚み方向において、ガイド部２２の長さ寸法Ｄ３は、対向部２１の長さ寸法Ｄ４より大きくなるように、互いの寸法関係が規定されている。更に、ガイド部２２に対する対向部２１の投影領域Ｒ１（図６参照）は、支持板６２の厚み方向におけるガイド部２２の両端間（上下の両端間）の範囲内にある。そのため、支持板６２に対する電線Ｌ１の接触が更に抑制され、また電線Ｌ１を収容空間Ｓ１へ収容する作業の際に、対向部２１が邪魔になり難くなる。
【００６９】
ところで、本実施形態の保護体２は、電線Ｌ１と接触し得る介在部２０や対向部２１、ガイド部２２等の角部がアール形状となるように構成されている。例えば、介在部２０は、図４に示すように、その下端部において、湾曲状に上方へ窪んでいる受部２７を有しており、受部２７の角部は、アール形状となっている。そのため、ＬＥＤホルダ８２の一対のガイド溝８２０から前方に導出される電線Ｌ１が上方に曲げられたときに、受部２７で電線Ｌ１を受け止めることができる。また電線Ｌ１は、受部２７の範囲内で変位可能であり、変位することで電線Ｌ１が受部２７内で擦れても電線Ｌ１の被覆に傷か付き難い。
【００７０】
また、保護体２は、上述の通り、電源ユニット６１を収容するケース６０の第２ブロック６０Ｂに一体となって設けられている。そのため、例えば、保護体２がケース６０と別体に設けられている場合に比べて、部品点数の削減を図ることができる。
【００７１】
（２．８）電線の結線作業
以下に一対の電線Ｌ１の結線作業の作業手順について説明する。ただし、以下の作業手順は、単なる一例であって特に限定されるものではない。
【００７２】
以下では、発光装置８が予め駆動装置６の下面に取り付けられた状態にあることを想定する。また一対の電線Ｌ１において、プラグコネクタ６９が設けられている一端とは反対側の他端は、予めＬＥＤ８１のアノード電極とカソード電極とにそれぞれ電気的に接続されているとする。そして、一対の電線Ｌ１は、ＬＥＤホルダ８２に設けられている一対のガイド溝８２０（図４参照）をそれぞれ通り、ＬＥＤホルダ８２の前方に導出されているものとする。
【００７３】
電線Ｌ１の結線作業を行う作業者（以下、単に作業者と呼ぶ）は、一対の電線Ｌ１が保護体２の受部２７内に収まるように電線Ｌ１の位置決めを行う。そして、作業者は、一対の電線Ｌ１を、ガイド部２２のガイド面２２０に沿うように挿入口２５から保護体２の収容空間Ｓ１内へ挿入する。このとき、作業者は、一対の電線Ｌ１を、規制突起２６の先端と介在部２０の一表面２０１と間を通して、収容空間Ｓ１内に押し込む。その結果、一対の電線Ｌ１が、収容空間Ｓ１から抜け出ることが抑制される。
【００７４】
本実施形態では、保護体２がその左端部において開放された挿入口２５を有しているため、収容空間Ｓ１内へ収容する作業が容易となっている。具体的には、例えば、挿入口２５が設けられておらず、保護体２の上下端部のみが開放されている場合、先に、保護体２に対して電線Ｌ１を下から上に通してから、電線Ｌ１の一端にプラグコネクタ６９を取り付けなければならず、作業性が悪くなる。一方、挿入口２５が設けられていることで、プラグコネクタ６９が取り付けられた状態のままでも、電線Ｌ１を、その径方向に沿って、収容空間Ｓ１内へ挿入することができ、作業性が向上される。
【００７５】
また収容空間Ｓ１内への挿入時において、一対の電線Ｌ１は、保護体２のガイド部２２のガイド面２２０により、収容空間Ｓ１に向かってガイドされるため、収容空間Ｓ１への収容作業が容易となっている。また、電線Ｌ１は、角部がアール形状である受部２７内で変位したとしても破損し難い。
【００７６】
最後に、一対の電線Ｌ１の一端にあるプラグコネクタ６９を、レセプタクルコネクタ６７に差し込むことで、電線Ｌ１の結線作業が完了する。
【００７７】
そして、一対の電線Ｌ１は、収容空間Ｓ１内に収容された状態において、支持板６２の側面６２３を跨ぐように配置される。ただし、一対の電線Ｌ１は、保護体２の介在部２０により、支持板６２に対する接触が抑制される。特に、介在部２０の長さ寸法Ｄ１が支持板６２の板厚Ｄ２より大きい。そのため、例えば電線Ｌ１の結線作業時又は照明装置１の使用中に、電線Ｌ１が支持板６２における第１面６２１と側面６２３との間の縁部分や第２面６２２と側面６２３との間の縁部分に接触して、電線Ｌ１の被覆が傷付いてしまうといった事態を低減できる。その結果、ＬＥＤ８１と電源ユニット６１との電気的接続における信頼性の向上を図ることができる。
【００７８】
（３）変形例
以下に、いくつかの変形例について列記する。以下では上述した実施形態を「基本例」と呼ぶ。以下に説明する変形例も、上述した基本例と適宜組み合わせて適用可能である。
【００７９】
基本例では、保護体２により保護される電線Ｌ１の数は、２本であるが、特に限定されず、１本又は３本以上であってもよい。
【００８０】
基本例では、保護体２は、ケース６０の第２ブロック６０Ｂと一体となって形成されている。しかし、保護体２は、第２ブロック６０Ｂと別体に設けられていてもよい。
【００８１】
基本例では、保護体２は、（第２ブロック６０Ｂと一体となった）合成樹脂の成形品として形成されている。しかし、保護体２は、例えば金属の板材を加工することにより形成されていてもよい。ただし、電線Ｌ１と接触し得る部位に対してアール形状に加工する加工作業等を考慮すると、保護体２は、合成樹脂の成形品であることが望ましい。
【００８２】
（４）利点
以上説明したように、第１の態様に係る照明装置（１）は、固体光源（ＬＥＤ８１）と、支持板（６２）と、電源ユニット（６１）と、電線（Ｌ１）と、保護体（２）とを備える。支持板（６２）は、その厚み方向における両面（６２１、６２２）のうちの第１面（６２１）の側で、固体光源（ＬＥＤ８１）を支持する。電源ユニット（６１）は、支持板（６２）の第１面（６２１）とは反対側の第２面（６２２）の側に配置されて、固体光源（ＬＥＤ８１）を点灯させる電力を供給する。電線（Ｌ１）は、固体光源（ＬＥＤ８１）と電源ユニット（６１）とを電気的に接続し電力の供給路となる。保護体（２）は、支持板（６２）に対する電線（Ｌ１）の接触を抑制する。電線（Ｌ１）は、第１面（６２１）と第２面（６２２）との間の支持板（６２）の側面（６２３）を跨ぐように配置される。保護体（２）は、側面（６２３）と電線（Ｌ１）との間に介在する板状の介在部（２０）を有する。支持板（６２）の厚み方向における介在部（２０）の長さ寸法（Ｄ１）は、支持板（６２）の板厚（Ｄ２）より大きい。第１の態様によれば、固体光源（ＬＥＤ８１）と電源ユニット（６１）との電気的接続における信頼性の向上を図ることができる。
【００８３】
第２の態様に係る照明装置（１）に関して、第１の態様において、保護体（２）は、側面（６２３）から離れる方向において介在部（２０）と対向する対向部（２１）を、更に有することが好ましい。電線（Ｌ１）は、介在部（２０）と対向部（２１）との間にある収容空間（Ｓ１）に収容されることが好ましい。第２の態様によれば、電線（Ｌ１）が安定的に収容されて電線（Ｌ１）の位置ずれが起き難くなり、電線（Ｌ１）の線噛みが発生する可能性を低減することができる。また、電線（Ｌ１）の結線作業の作業性が向上する。
【００８４】
第３の態様に係る照明装置（１）に関して、第２の態様において、保護体（２）は、電線（Ｌ１）をその径方向に沿って収容空間（Ｓ１）内に挿入可能な挿入口（２５）を、更に有することが好ましい。第３の態様によれば、電線（Ｌ１）を収容空間（Ｓ１）へ収容する作業が容易となる。
【００８５】
第４の態様に係る照明装置（１）に関して、第３の態様において、保護体（２）は、電線（Ｌ１）を挿入口（２５）に向かってガイドするガイド部（２２）を、更に有することが好ましい。第４の態様によれば、電線（Ｌ１）を収容空間（Ｓ１）へ収容する作業が更に容易となる。
【００８６】
第５の態様に係る照明装置（１）に関して、第４の態様において、ガイド部（２２）は、対向部（２１）と対向する介在部（２０）の一表面（２０１）に繋がって形成されたガイド面（２２０）を有することが好ましい。ガイド面（２２０）は、介在部（２０）の一表面（２０１）に対して、収容空間（Ｓ１）から離れるほど側面（６２３）から離れるように、傾斜していることが好ましい。第５の態様によれば、支持板（６２）に対する電線（Ｌ１）の接触が更に抑制される。また、電線（Ｌ１）を収容空間（Ｓ１）へ収容する作業も更に容易となる。
【００８７】
第６の態様に係る照明装置（１）に関して、第４又は第５の態様において、支持板（６２）の厚み方向において、ガイド部（２２）の長さ寸法（Ｄ３）は、対向部（２１）の長さ寸法（Ｄ４）より大きいことが好ましい。更に、ガイド部（２２）に対する対向部（２１）の投影領域（Ｒ１）は、支持板（６２）の厚み方向におけるガイド部（２２）の両端間の範囲内にあることが好ましい。第６の態様によれば、支持板（６２）に対する電線（Ｌ１）の接触が更に抑制される。また、電線（Ｌ１）を収容空間（Ｓ１）へ収容する作業も更に容易となる。
【００８８】
第７の態様に係る照明装置（１）に関して、第３〜第６の態様のいずれか１つにおいて、介在部（２０）及び対向部（２１）の少なくとも一方は、電線（Ｌ１）が径方向に沿って挿入口（２５）から抜け出ることを規制する規制突起（２６）を有することが好ましい。第７の態様によれば、収容空間（Ｓ１）内に収容された電線（Ｌ１）が挿入口（２５）から抜け出ることを抑制することができる。
【００８９】
第８の態様に係る照明装置（１）は、第１〜第７の態様のいずれか１つにおいて、電源ユニット（６１）を収容するケース（６０）を、更に備えることが好ましい。保護体（２）は、ケース（６０）に設けられていることが好ましい。第８の態様によれば、保護体（２）がケース（６０）と別体に設けられている場合に比べて、部品点数の削減を図ることができる。
【００９０】
第９の態様に係る照明装置（１）に関して、第１〜第８の態様のいずれか１つにおいて、支持板（６２）は、側面（６２３）において、保護体（２）が収まるように構成された凹所（６２４）を有していることが好ましい。第９の態様によれば、照明装置（１）の小型化を図ることができる。
【符号の説明】
【００９１】
１  照明装置
２  保護体
２０  介在部
２０１  一表面
２１  対向部
２２  ガイド部
２２０  ガイド面
２５  挿入口
２６  規制突起
６０  ケース
６１  電源ユニット
６２  支持板
６２１  第１面
６２２  第２面
６２３  側面
６２４  凹所
８１  ＬＥＤ（固体光源）
Ｌ１  電線
Ｄ１  長さ寸法
Ｄ２  板厚
Ｄ３  長さ寸法
Ｄ４  長さ寸法
Ｒ１  投影領域
Ｓ１  収容空間
【図１】
2019121518.tif 000003
【図２】
2019121518.tif 000004
【図３】
2019121518.tif 000005
【図４】
2019121518.tif 000006
【図５】
2019121518.tif 000007
【図６】
2019121518.tif 000008
【図７】
2019121518.tif 000009